(57)【特許請求の範囲】
【請求項１】
取付具本体を有し、この取付具本体は、取付け対象物の凹部内に挿入される挿入体と、該挿入体の先端部から斜め後方に外広がり状に延設され、前記凹部に弾性変形して嵌挿されることにより後部が前記凹部の出入口周縁部に係合する一対の抜け止め片と、前記挿入体の中央部に一体突設され、前記取付け対象物の側面に弾性的に当接される弾性当接鍔と、前記挿入体の抜け止め片と弾性当接鍔との間に突設され、前記凹部内に嵌入される上下一対の揺動防止片とを備えており、
前記挿入体の後端部には、前記取付具本体とは別体に形成されて、両端部を互いに係合させることにより配線、配管等の被取付物を結束する結束バンドが挿通される貫通孔を形成してあることを特徴とする配線、配管等の取付具。
【請求項２】
長尺部材の側面に、その側面に形成した長溝を利用して配線、配管等の被取付物を取り付けるための取付具であって、取付具本体を有し、この該取付具本体は、前記長溝内に挿入される挿入体と、該挿入体の先端部から斜め後方に外広がり状に延設され、前記長溝に弾性変形して嵌挿されることにより後部が前記長溝の出入口周縁部に係合する一対の抜け止め片と、前記挿入体の中央部に一体突設され、前記長尺部材の側面に弾性的に当接される弾性当接鍔と、前記挿入体の抜け止め片と弾性当接鍔との間に突設され、前記長溝内に嵌入される上下一対の揺動防止片とを備えており、
前記抜け止め片の横幅を長溝の出入口開口幅と同程度またはそれ以上に大きくしてあり、
前記挿入体の後端部には、前記取付具本体とは別体に形成されて、両端部を互いに係合させることにより配線、配管等の被取付物を結束する結束バンドが挿通される貫通孔を形成してあることを特徴とする配線、配管等の取付具。
【発明の詳細な説明】
【０００１】
【産業上の利用分野】
本発明は、例えばベルトコンベアーのガイドレールや自動倉庫のラック等に沿って配線や配管等の被取付物を取り付けるための取付具に関する。
【０００２】
【従来の技術】
例えば、図４に示すように、ベルトコンベアーの一端に設けた駆動モータ１に配線２を接続する場合には、取付具３によって配線２をベルトコンベアーのガイドレール４に沿って取り付けることが行われる。
【０００３】
前記取付具３の一例として図５に示すものを考えた。これは、ガイドレール４の側面に、その側面に形成された長溝５に係合するボルト・ナット６を介して取付板７の上部を固定し、取付板７の下部にボルト・ナット８を介して固定されたガイド枠９と取付板７との間の間隙に結束ベルト１０を挿通し、結束ベルト１０の一端部に一体形成した係合枠１０ａに結束ベルト１０の他端部を挿入し、その他端部に一体形成したストッパー突起１０ｂを係合枠１０ａに係合させることにより、結束ベルト１０で配線２を結束するようになっている。
【０００４】
【発明が解決しようとする課題】
上記取付具では、部品点数が多いため、製作費が高くつくと共に、取付け作業に手間がかかり、作業能率が低いという欠点がある。
【０００５】
本発明は、上記欠点に鑑み、部品点数が少なく、安価に製作することができると共に、取付け作業を迅速容易に行なうことができる配線、配管等の取付具を提供することを目的としている。
【０００６】
【課題を解決するための手段】
上記目的を達成するため、請求項１に記載の発明は、取付具本体を有し、この取付具本体は、取付け対象物の凹部内に挿入される挿入体と、該挿入体の先端部から斜め後方に外広がり状に延設され、前記凹部に弾性変形して嵌挿されることにより後部が前記凹部の出入口周縁部に係合する一対の抜け止め片と、前記挿入体の中央部に一体突設され、前記取付け対象物の側面に弾性的に当接される弾性当接鍔と、前記挿入体の抜け止め片と弾性当接鍔との間に突設され、前記凹部内に嵌入される上下一対の揺動防止片とを備えており、前記挿入体の後端部には、前記取付具本体とは別体に形成されて、両端部を互いに係合させることにより配線、配管等の被取付物を結束する結束バンドが挿通される貫通孔を形成してあることを特徴とする。
【０００７】
請求項２に記載の発明は、長尺部材の側面に、その側面に形成した長溝を利用して配線、配管等の被取付物を取り付けるための取付具であって、取付具本体を有し、この該取付具本体は、前記長溝内に挿入される挿入体と、該挿入体の先端部から斜め後方に外広がり状に延設され、前記長溝に弾性変形して嵌挿されることにより後部が前記長溝の出入口周縁部に係合する一対の抜け止め片と、前記挿入体の中央部に一体突設され、前記長尺部材の側面に弾性的に当接される弾性当接鍔と、前記挿入体の抜け止め片と弾性当接鍔との間に突設され、前記長溝内に嵌入される上下一対の揺動防止片とを備えており、前記抜け止め片の横幅を長溝の出入口開口幅と同程度またはそれ以上に大きくしてあり、前記挿入体の後端部には、前記取付具本体とは別体に形成されて、両端部を互いに係合させることにより配線、配管等の被取付物を結束する結束バンドが挿通される貫通孔を形成してあることを特徴とする。
【０００８】
【作用】
請求項１に記載の発明において、取付け対象物に配線、配管等の被取付物を取り付ける場合には、まず、取付具本体の挿入体を前記取付け対象物の凹部に挿入する。これによって、挿入体の先端部に設けた一対の抜け止め片が弾性変形して凹部に嵌挿され、該両抜け止め片の後部が前記凹部の出入口周縁部に係合されると共に、上下一対の揺動防止片が前記凹部内に嵌入され、更に、弾性当接鍔が前記取付け対象物の側面に弾性的に当接されるため、前記取付具本体を取付け対象物にワンタッチで確実に取付けることができる。続いて、前記取付具本体に連結した結束バンドの両端部を互いに係合させて被取付物を結束するだけで、その被取付物を前記取付け対象物に簡単に取付けることができる。
【０００９】
請求項２に記載の発明によれば、請求項１に記載の発明と同様の手順で、長尺部材の側面に、その側面に形成した長溝を利用して配線、配管等の被取付物を簡単に取り付けることができると共に、抜け止め片の横幅を長溝の出入口開口幅と同程度またはそれ以上に大きくしているので、その抜け止め片が長溝内で横転したりせず、取付具本体の向きを一定に保持することができる。
【００１０】
【実施例】
以下、本発明の一実施例を図面に基づいて説明する。
図１は、図４に示すベルトコンベアーのガイドレール（取付け対象物または長尺部材）４に本発明の取付具３で配線（被取付物）２を取り付けた状態を示すものであって、取付具３は、ガイドレール４の側面に形成した長溝（凹部）５に嵌入係止される合成樹脂製の取付具本体１２を有し、この取付具本体１２に、該取付具本体１２とは別体に形成された合成樹脂製の結束バンド１３を挿通連結する。
【００１１】
図２及び図３にも示すように、取付具本体１２は、長溝５に挿入される挿入体１４と、挿入体１４の先端部から斜め後方に外広がり状に延設され、長溝５に弾性変形して嵌挿されることにより後部１５ａ，１５ａの凹段部１６，１６が長溝５の出入口周縁部４ａに係合する一対の抜け止め片１５，１５と、挿入体１４の中央部に一体突設され、上下両端部がガイドレール４の側面に弾性的に当接される縦断面略円弧状の弾性当接鍔１８と、挿入体１４の抜け止め片１５，１５と弾性当接鍔１８との間に突設され、長溝５の出入口開口部５ａに嵌入される上下一対の揺動防止片１９，１９とを備えている。
【００１２】
結束バンド１３は、挿入体１４の後端部に形成した貫通孔２０に挿通され、その一端部に一体形成した係合枠１３ａに結束ベルト１３の他端部を挿入し、その他端部に一体形成したストッパー突起１３ｂを係合枠１３ａに係合させることにより、この結束バンド１３で配線２を結束するようになっている。
【００１３】
上記構成に基づいて配線２をガイドレール４に取り付ける場合の要領を説明すると、まず、取付具本体１２の挿入体１４をガイドレール４の長溝５に挿入する。これによって、挿入体１４の先端部に設けた一対の抜け止め片１５，１５が弾性変形して出入口開口部５ａを通過し長溝５に嵌入され、凹段部１６．１６が出入口周縁部４ａに係合されると共に、揺動防止片１９，１９が出入口開口部５ａに嵌入され、弾性当接鍔１８の上下両端部がガイドレール４の側面に弾性的に当接される。
【００１４】
この場合、両抜け止め片１５，１５の凹段部１６，１６が出入口周縁部４ａに係合するため、取付具本体１２がガイドレール４から不測に外れたりせず、また、弾性当接鍔１８の上下両端部がガイドレール４の側面に当接することから、取付具本体１２を長溝５内に押し込み過ぎることがない。しかも、弾性当接鍔１８が外広がり状に若干弾性変位して、その上下両端部がガイドレール４の側面に弾性的に当接するようになっており、その弾性当接鍔１８と両抜け止め片１５，１５とでガイドレール４の出入口周縁部４ａが挟持されると共に、上下一対の揺動防止片１９，１９が出入口開口部５ａに嵌入されていることから、取付具本体１２を左右上下いずれの方向にもがたつかないようにガイドレール４に取り付けることができる。
【００１５】
また、抜け止め片１５，１５の横幅Ｌを長溝５の出入口開口幅Ｈと同程度またはそれ以上に大きくしているので、抜け止め片１５，１５が長溝５内で横転したりせず、取付具本体１２の向きを一定に保持することができる。
【００１６】
続いて、取付具本体１２に係止した結束バンド１３の一端部に一体形成した係合枠１３ａに結束ベルト１３の他端部を挿入し、その他端部に一体形成したストッパー突起１３ｂを係合枠１３ａに係合させることにより、この結束バンド１３で配線２を結束するだけで、その配線２をガイドレール４に簡単に取り付けることができる。
【００１７】
上記実施例では、ベルトコンベアーのガイドレールに配線を取り付ける場合を例にあげて説明したが、それ以外に、例えば自動倉庫のラックに配線や配管等を取り付ける場合にも適用することができる。また、長溝を利用して取付具本体を嵌入係止するようにしたが、長溝以外に、例えば長孔、円形孔等の種々の凹部にも嵌入係止することができる。
【００１８】
【発明の効果】
請求項１に記載の発明によれば、取付具が取付具本体と結束バンドとからなり、部品点数が少ないから、安価に製作することがきる。また、前記取付具本体の挿入体を取付け対象物の凹部に挿入するだけで、前記挿入体の先端部に設けた両抜け止め片の後部が出入口周縁部に係合するため、取付具本体が取付け対象物から不測に外れたりせず、その取付具本体を取付け対象物にワンタッチで簡単に取け付けることができる。更に、取付け対象物の側面に弾性的に当接する弾性当接鍔と両抜け止め片とで凹部の出入口周縁部が挟持されると共に、挿入体の抜け止め片と弾性当接鍔との間に設けた上下一対の揺動防止片が凹部に嵌入されることから、取付具本体を左右上下いずれの方向にもがたつかないように取付け対象物に取り付けることができ、これによって、被取付物の取付け作業を能率的にしかも確実に行なうことができる。
【００１９】
請求項２に記載の発明によれば、請求項１に記載の発明と同様の手順で、長尺部材の側面に、その側面に形成した長溝を利用して配線、配管等の被取付物を簡単に取り付けることができると共に、抜け止め片の横幅を長溝の出入口開口幅と同程度またはそれ以上に大きくしているので、抜け止め片が長溝内で横転したりせず、取付具本体の向きを一定に保持することができる。
【図面の簡単な説明】
【図１】本発明の一実施例である取付具により配線をベルトコンベアーのガイドレールに取り付けた状態の縦断面図である。
【図２】図１のＡ−Ａ矢視図である。
【図３】同取付具の斜視図である。
【図４】同全体の斜視図である。
【図５】従来の技術の欄において記載した比較例を示す縦断面図である。
【符号の説明】
２  配線（被取付物）
３  取付具
４  ガイドレール（取付け対象物または長尺部材）
４ａ  出入口周縁部
５  長溝（凹部）
５ａ  出入口開口部
１２  取付具本体
１３  結束バンド
１４  挿入体
１５  抜け止め片
１８  弾性当接鍔
１９  揺動防止片
【図１】
0003611250.tif 000002
【図２】
0003611250.tif 000003
【図３】
0003611250.tif 000004
【図４】
0003611250.tif 000005
【図５】
0003611250.tif 000006